(57)【要約】【課題】  必要な情報が必要なタイミングおよび形式で通知される端末装置、スケジュール通知システムおよびスケジュール通知方法を提供する。【解決手段】  スケジュール情報を保持するスケジュールデータ保持部２１０と、あらかじめ指定された指定時間情報、指定イベント情報を保持する指定キーワード情報保持部と、スケジュール情報において、指定時間情報、前記指定イベント情報と同一である時間情報、イベント情報の検索を行い、存在した場合にはそれらを抽出するキーワード抽出手段２２２と、リマインダタイプを判定するリマインダタイプ判定手段２２３と、リマインダの通知を行うリマインダ制御手段２２５とを有する構成とすることで、必要な情報を必要なタイミングおよび形式で通知することができる。【選択図】  図２
2007058660.tif 000002
【特許請求の範囲】
【請求項１】
スケジュール情報を保持するスケジュール情報保持部と、
時間に関してあらかじめ指定された指定時間情報およびイベントに関してあらかじめ指定された指定イベント情報を保持する指定キーワード情報保持部と、
前記スケジュール情報において、前記指定時間情報と同一である時間情報および前記指定イベント情報と同一であるイベント情報の検索を行い、前記検索の結果、前記イベント情報および前記時間情報が存在した場合に、前記時間情報および前記イベント情報を前記スケジュール情報からキーワード情報として抽出するキーワード抽出部と、
前記キーワード抽出部により抽出された前記キーワード情報に基づいて、前記スケジュール情報に関するリマインダの通知形式を指定するリマインダタイプの判定を行うリマインダタイプ判定部と、
前記リマインダタイプ判定部により判定されたリマインダタイプに基づいて、前記リマインダの通知を行うリマインダ通知部と
を有する端末装置。
【請求項２】
請求項１に記載の端末装置であって、前記スケジュール情報保持部は、
あらかじめ登録されたスケジュールデータを保持する端末装置。
【請求項３】
請求項１に記載の端末装置であって、前記スケジュール情報保持部は、
メールサーバから受信したメールデータを保持する端末装置。
【請求項４】
請求項３に記載の端末装置であって、
前記メールデータはあらかじめ規定した形式で記述された形式メールデータであり、前記指定キーワード情報保持部は、
前記形式メールデータに含まれ、かつ前記指定キーワード保持部に保持されている指定イベント情報に含まれていないイベント情報およびリマインダタイプを新たに保持する端末装置。
【請求項５】
スケジュール情報が保持されるスケジュール情報保持ステップと、
時間に関してあらかじめ指定された指定時間情報およびイベントに関してあらかじめ指定された指定イベント情報が保持される指定キーワード情報保持ステップと、
前記スケジュール情報において、前記指定時間情報と同一である時間情報および前記指定イベント情報と同一であるイベント情報の検索が行われ、前記検索の結果、前記イベント情報および前記時間情報が存在した場合に、前記時間情報および前記イベント情報が前記スケジュール情報からキーワード情報として抽出されるキーワード抽出ステップと、
前記キーワード抽出ステップにおいて抽出された前記キーワード情報に基づいて、前記スケジュール情報に関するリマインダの通知形式を指定するリマインダタイプの判定が行われるリマインダタイプ判定ステップと、
前記リマインダタイプ判定ステップに判定されたリマインダタイプに基づいて、前記リマインダの通知が行われるリマインダ通知ステップと
を有するスケジュール通知方法。
【請求項６】
請求項５に記載のスケジュール通知方法であって、
前記スケジュール情報保持ステップにおいてあらかじめ登録されたスケジュールデータが保持されるスケジュール通知方法。
【請求項７】
請求項５に記載のスケジュール通知方法であって、前記スケジュール情報保持ステップにおいて  メールサーバから受信したメールデータが保持されるスケジュール通知方法。
【請求項８】
請求項７に記載のスケジュール通知方法であって、
前記メールデータはあらかじめ規定した形式で記述された形式メールデータであり、前記指定キーワード情報保持ステップにおいて、前記形式メールデータに含まれ、かつ前記指定キーワード保持ステップにおいて保持されている指定イベント情報に含まれていないイベント情報およびリマインダタイプが新たに保持されるスケジュール通知方法。
【請求項９】
ネットワークに接続されたメールサーバおよび携帯通信端末を有するスケジュール通知システムであって、
前記メールサーバは、
スケジュール情報を有するメールデータを前記携帯通信端末へ送信するメール送信部
を有し、
前記携帯通信端末は、
前記メールサーバから受信したメールデータを保持する受信メール保持部と、
時間に関してあらかじめ指定された指定時間情報およびイベントに関してあらかじめ指定された指定イベント情報を保持する指定キーワード情報保持部と、
前記スケジュール情報において、前記指定時間情報と同一である時間情報および前記指定イベント情報と同一であるイベント情報の検索を行い、前記検索の結果、前記イベント情報および前記時間情報が存在した場合に、前記時間情報および前記イベント情報を前記スケジュール情報からキーワード情報として抽出するキーワード抽出部と、
前記キーワード抽出部に抽出された前記キーワード情報に基づいて、前記スケジュール情報に関するリマインダの通知形式を指定するリマインダタイプの判定を行うリマインダタイプ判定部と、
前記リマインダタイプ判定部に判定されたリマインダタイプに基づいて、前記リマインダの通知を行うリマインダ通知部と
を有するスケジュール通知システム。
【発明の詳細な説明】
【技術分野】
【０００１】
スケジュール情報を有する端末装置、スケジュール通知システムおよびスケジュール通知方法に関する。
【背景技術】
【０００２】
従来のスケジュール登録方法およびリマインダ通知方法に関して、紙に記載されているスケジュールをＦＡＸやスキャナで取り込み、取り込まれた予定に対してディスプレイやＦＡＸを介してユーザに通知することが行われている（例えば特許文献１参照）。また、音声によって入力したスケジュールをデータ変換してスケジュール登録を行い、音声情報、メール、またはＦＡＸを介してユーザに通知することが行われている（例えば、特許文献２参照）。
【０００３】
また、メール受信によってスケジュール登録を行い、メールの表題表示、アラーム音の鳴動、またはアラーム表示の点滅によってユーザに通知することが行われている（例えば、特許文献３参照）。また、所定のフォーマットを必要とせずにスケジュールを作成できる方法として、メール中に日付に関する所定の文字列が存在する場合にはスケジュール機能起動後にメール内容を複写してスケジュールを登録することが行われている（例えば、特許文献４参照）。
【特許文献１】特開２００１−０８４２２８号公報
【特許文献２】特開２００２−３３５３３３号公報
【特許文献３】特開平１０−０１１４０３号公報
【特許文献４】特開２００３−０４４４１５号公報
【発明の開示】
【発明が解決しようとする課題】
【０００４】
しかしながら、特許文献１および２におけるスケジュール登録方法では、ユーザ本人がリマインドする内容を意識した上で意図的にスケジュール登録を行わなければならならないという事情があった。
【０００５】
また、特許文献３におけるスケジュール登録方法では、スケジュール登録を行うことを意識して所定のフォーマットで送らなければならないという事情があった。また、特許文献１ないし３におけるリマインダー通知方法では、スケジュール内容に関わらずユーザ自身が通知方法を選択しなければならないという事情があった。また、特許文献４におけるスケジュール登録方法では、あくまでもユーザのスケジュール入力操作の補助を行うものであり、ユーザによる最終的なスケジュール登録操作が必要になるという事情があった。
【０００６】
本発明は上記の事情を鑑みてなされたものであって、必要な情報が必要なタイミングおよび形式で通知される端末装置およびイベント報知方法を提供することを目的とする。
【課題を解決するための手段】
【０００７】
上記目的を達成するために、本発明の第１の端末装置は、スケジュール情報を保持するスケジュール情報保持部と、時間に関してあらかじめ指定された指定時間情報およびイベントに関してあらかじめ指定された指定イベント情報を保持する指定キーワード情報保持部と、前記スケジュール情報において、前記指定時間情報と同一である時間情報および前記指定イベント情報と同一であるイベント情報の検索を行い、前記検索の結果、前記イベント情報および前記時間情報が存在した場合に、前記時間情報および前記イベント情報を前記スケジュール情報からキーワード情報として抽出するキーワード抽出部と、前記キーワード抽出部により抽出された前記キーワード情報に基づいて、前記スケジュール情報に関するリマインダの通知形式を指定するリマインダタイプの判定を行うリマインダタイプ判定部と、前記リマインダタイプ判定部により判定されたリマインダタイプに基づいて、前記リマインダの通知を行うリマインダ通知部とを有する構成としている。
【０００８】
この構成により、必要な情報を必要なタイミングおよび形式で通知することができる。また、通知方法はイベントの内容によって決まっているため、自発的に指定をしなくてよい。
【０００９】
また、本発明の第２の端末装置は、前記スケジュール情報保持部が、あらかじめ登録されたスケジュールデータを保持する構成としている。
【００１０】
この構成により、スケジュールデータから自動的にスケジュールが登録されるため、自発的に登録操作を行わずにスケジュール登録が完了する。
【００１１】
また、本発明の第３の端末装置は、前記スケジュール情報保持部が、メールサーバから受信したメールデータを保持する構成としている。
【００１２】
この構成により、受信したメールデータから自動的にスケジュールが登録されるため、自発的に登録操作を行わずにスケジュール登録が完了する。また、スケジュール登録を行うための所定のフォーマットを意識せずに、スケジュール登録が可能である。
【００１３】
また、本発明の第４の端末装置は、前記メールデータがあらかじめ規定した形式で記述された形式メールデータであり、前記指定キーワード情報保持部が、前記形式メールデータに含まれ、かつ前記指定キーワード保持部に保持されている指定イベント情報に含まれていないイベント情報およびリマインダタイプを新たに保持する構成としている。
【００１４】
この構成により、使用開始直後よりも使用し続けることで徐々に学習されていき、より使い勝手のよいものとなる。
【００１５】
また、本発明の第１のスケジュール通知方法は、スケジュール情報が保持されるスケジュール情報保持ステップと、時間に関してあらかじめ指定された指定時間情報およびイベントに関してあらかじめ指定された指定イベント情報が保持される指定キーワード情報保持ステップと、前記スケジュール情報において、前記指定時間情報と同一である時間情報および前記指定イベント情報と同一であるイベント情報の検索が行われ、前記検索の結果、前記イベント情報および前記時間情報が存在した場合に、前記時間情報および前記イベント情報が前記スケジュール情報からキーワード情報として抽出されるキーワード抽出ステップと、前記キーワード抽出ステップにおいて抽出された前記キーワード情報に基づいて、前記スケジュール情報に関するリマインダの通知形式を指定するリマインダタイプの判定が行われるリマインダタイプ判定ステップと、前記リマインダタイプ判定ステップに判定されたリマインダタイプに基づいて、前記リマインダの通知が行われるリマインダ通知ステップとを有する方法としている。
【００１６】
この方法により、必要な情報を必要なタイミングおよび形式で通知することができる。また、通知方法はイベントの内容によって決まっているため、自発的に指定をしなくてよい。
【００１７】
また、本発明の第２のスケジュール通知方法は、前記スケジュール情報保持ステップにおいてあらかじめ登録されたスケジュールデータが保持される方法としている。
【００１８】
この方法により、スケジュールデータから自動的にスケジュールが登録されるため、自発的に登録操作を行わずにスケジュール登録が完了する。
【００１９】
また、本発明の第３のスケジュール通知方法は、前記スケジュール情報保持ステップにおいてメールサーバから受信したメールデータが保持される方法としている。
【００２０】
この方法により、受信したメールデータから自動的にスケジュールが登録されるため、自発的に登録操作を行わずにスケジュール登録が完了する。また、スケジュール登録を行うための所定のフォーマットを意識せずに、スケジュール登録が可能である。
【００２１】
また、本発明の第４のスケジュール通知方法は、前記メールデータがあらかじめ規定した形式で記述された形式メールデータであり、前記指定キーワード情報保持ステップにおいて、前記形式メールデータに含まれ、かつ前記指定キーワード保持ステップにおいて保持されている指定イベント情報に含まれていないイベント情報およびリマインダタイプが新たに保持される方法としている。
【００２２】
この方法により、使用開始直後よりも使用し続けることで徐々に学習されていき、より使い勝手のよいものとなる。
【００２３】
また、本発明の第１のスケジュール通知システムは、ネットワークに接続されたメールサーバおよび携帯通信端末を有するスケジュール通知システムであって、前記メールサーバが、スケジュール情報を有するメールデータを前記携帯通信端末へ送信するメール送信部を有し、前記携帯通信端末が、前記メールサーバから受信したメールデータを保持する受信メール保持部と、時間に関してあらかじめ指定された指定時間情報およびイベントに関してあらかじめ指定された指定イベント情報を保持する指定キーワード情報保持部と、前記スケジュール情報において、前記指定時間情報と同一である時間情報および前記指定イベント情報と同一であるイベント情報の検索を行い、前記検索の結果、前記イベント情報および前記時間情報が存在した場合に、前記時間情報および前記イベント情報を前記スケジュール情報からキーワード情報として抽出するキーワード抽出部と、前記キーワード抽出部に抽出された前記キーワード情報に基づいて、前記スケジュール情報に関するリマインダの通知形式を指定するリマインダタイプの判定を行うリマインダタイプ判定部と、前記リマインダタイプ判定部に判定されたリマインダタイプに基づいて、前記リマインダの通知を行うリマインダ通知部とを有する構成としている。
【００２４】
この構成により、必要な情報を必要なタイミングおよび形式で通知することができる。また、通知方法はイベントの内容によって決まっているため、自発的に指定をしなくてよい。
【発明の効果】
【００２５】
以上のように本発明によれば、必要な情報が必要なタイミングおよび形式で通知される端末装置、スケジュール通知システムおよびスケジュール通知方法を提供することが可能である。
【発明を実施するための最良の形態】
【００２６】
以下、本発明の実施形態の端末装置について、図面を用いて説明する。
（第１の実施形態）
【００２７】
まず、本実施形態におけるリマインダ登録過程について概説する。図１は本発明の第１の実施形態における端末装置１００の処理フローを含む概略図である。端末装置１００において、あらかじめ設定されたスケジュールデータ１１１からキーワード（時間キーワード、イベントキーワード等）が抽出される（ステップＳ１０１）。そして後述するリマインダタイプ検索パターンリスト１１２（表３参照）に基づいて、抽出されたキーワードからイベントの通知方法を指定するリマインダタイプ（表４参照）が判定される（ステップ１０２）。リマインダタイプ検索パターンリスト１１２は、ユーザによるパターンの更新も可能である。そして後述するリマインダリスト１１３（表６参照）にリマインダが登録される（ステップＳ１０３）。
【００２８】
次に、端末装置１００の一例として、携帯電話端末２００を取り上げる。図２は本発明の第１の実施形態における携帯電話端末２００のブロック図である。携帯電話端末２００は、スケジュールデータ保持部２１０、制御部２２０、リマインダリスト作成用リスト２３０、リマインダリスト２４０、操作部２５０、表示部２６０、リンガ２７０およびＬＥＤ２８０を有する。
【００２９】
また制御部２２０は、スケジュール編集手段２２１、キーワード抽出手段２２２、リマインダタイプ判定手段２２３、リマインダリスト作成手段２２４およびリマインダ制御手段２２５を有する。またリマインダリスト作成用リスト２３０は、時間キーワードリスト２３１、イベントキーワードリスト２３２、リマインダタイプ検索パターンリスト２３３、リマインダタイプリスト２３４およびリマインダ表現形式リスト２３５を有する。また、リマインダタイプ検索リスト１１２および２３３の特性は同様であり、リマインダリスト１１３および２４０の特性は同様である。
【００３０】
ここで、スケジュールデータ保持部２１０はスケジュール情報保持部の一例である。また、時間キーワードリスト２３１およびイベントキーワードリスト２３２は指定キーワード情報保持部の一例である。また、キーワード抽出手段２２２はキーワード抽出部の一例である。また、リマインダタイプ判定手段２２３はリマインダタイプ判定部の一例である。また、リマインダ制御手段２２５はリマインダ通知部の一例である。
【００３１】
スケジュールデータ保持部２１０は、ユーザにより設定されたスケジュールデータを保持している。また、スケジュール編集手段２２１は、このスケジュールデータを編集可能である。また、キーワード抽出手段２２２は、このスケジュールデータから時間やイベントに関する特定のキーワードを抽出する。
【００３２】
また、リマインダタイプ判定手段２２３は、キーワード抽出手段２２２によって抽出された時間キーワードおよびイベントキーワードを組み合わせた検索式に基づいて、リマインダタイプ検索パターンリスト２３３からリマインダタイプを判定する。
【００３３】
また、リマインダリスト作成手段２２４は、各イベント毎に判定されたリマインダタイプに応じて、リマインダリスト２４０を作成する。（リマインダリスト２４０については後述する。）また、リマインダ制御手段２２５は、リマインダリスト２４０にて指定された動作を実施する。
【００３４】
次に、各リストに関して説明をする。
時間キーワードリスト２３１は、スケジュールデータ中の日付、時刻情報と照合し、キーワードを検索するために、時間に関する事柄が記載されたリストである。このリストでは、月、日、時、分、曜、「／」、「：」と数字との組み合わせ、および時間に関する文字列から、日付情報および時間情報に分類される。
【００３５】
また、時間キーワードリスト２３１において、「Ｄ」は「００」〜「３１」の範囲のいずれかの数字、「Ｍ」は「０１」〜「１２」の範囲のいずれかの数字、「Ｗ」は「月」、「火」、「水」、「木」、「金」、「土」、「日」のいずれかの文字、「ｈ」は「００」〜「２４」の範囲のいずれかの数字、「ｍ」は「００」〜「５９」の範囲のいずれかの数字が該当する。時間キーワードリスト２３１の一例を表１に示す。
【００３６】
【表１】
2007058660.tif 000003
【００３７】
また、イベントキーワードリスト２３２は、所定の名詞や動詞などを特定文字列としてあらかじめ定義されたリストである。イベントキーワードリスト２３２には、同義、同系列のグループ毎の文字列が登録されている。イベントキーワードリスト２３２の一例を表２に示す。
【００３８】
【表２】
2007058660.tif 000004
【００３９】
また、リマインダタイプ検索パターンリスト２３３は、キーワード抽出手段２２２によって抽出された時間キーワードおよびイベントキーワードを組み合わせた検索式から想定される重要度・緊急度に対応したリマインダタイプが登録されたリストである。リマインダタイプ検索パターンリスト２３３の一例を表３に示す。
【００４０】
【表３】
2007058660.tif 000005
【００４１】
また、リマインダタイプリスト２３４は、キーワード抽出手段２２２によって抽出されたキーワードに基づいて、ユーザへのスケジュールの通知タイミングと表現形式が指定されたリストである。例えば、指定の時間に確実に気づかせる必要があるもの（アポイントメントなど）、一定時間内のどこかで確実に気づかせる必要があるもの（忘れ物防止など）、空き時間を活用させたいもの（時間ができたら実行することなど）等に分類される。リマインダタイプを示したリマインダタイプリストの一例を表４に示す。
【００４２】
【表４】
2007058660.tif 000006
【００４３】
また、リマインダ表現形式リスト２３５は、リマインダタイプによって定められた表示形式が記載されたリストである。具体的には、音、バイブ（振動パターンなど）、光（色、点滅パターンなど）、テキスト表示、アイコン点灯、メールメッセージ表示、着信応答で音声メッセージ、音声読み上げなどがある。また、スケジュール期限までに複数回の通知を行う場合は、スケジュール期限までの時間に応じて、リマインダの表現形式を変更するようにしてもよい。リマインダ表現形式２３５の一例を表５に示す。
【００４４】
【表５】
2007058660.tif 000007
【００４５】
また、リマインダリスト２４０は、リマインダ作成手段２２４によって作成され、各スケジュールに設定されている時間、イベントおよびリマインダタイプリスト２３４の内容に基づいて、リマインダ制御手段２２５によって実施されるイベントの動作を示したリストである。リマインダリスト２４０の一例を表６に示す。
【００４６】
【表６】
2007058660.tif 000008
【００４７】
次に、上記以外の携帯電話端末２００の構成について説明する。
操作部２５０は、ユーザがキー操作を行うためのボタンなどであり、スケジュールの編集操作などが可能である。また、表示部２６０は液晶画面などであり、スケジュール情報の内容などを参照できる。また、リンガ２７０は音声出力を行う部位であり、スケジュールイベントにあわせた楽曲の出力や音声読み上げの出力などを実現している。また、ＬＥＤ２８０は発光ダイオードであり、点滅によるスケジュール設定時刻の通知などを可能にしている。また、操作部２５０、表示部２６０、リンガ２７０およびＬＥＤ２８０は制御部２２０によって制御される。
【００４８】
次に、携帯電話端末２００のリマインダリスト作成における動作フローに関して説明する。
図３は本発明の第１の実施形態における携帯電話端末２００のリマインダリスト作成のための動作フロー図である。
【００４９】
まず、あらかじめスケジュールデータがスケジュールデータ保持部２１０に登録されている（ステップＳ３０１）。キーワード抽出手段２２２は、スケジュールデータから特定のキーワード（ＫＷ）の検索を行い、キーワードを抽出する。（ステップＳ３０２）。キーワード検索としては、時間キーワードリスト２３１の検索やイベントキーワードリスト２３２の検索などが考えられる。
【００５０】
次に、ステップＳ３０２においてスケジュールデータから抽出された時間キーワードおよびイベントキーワードを組み合わせた検索式に基づいて、リマインダタイプ検索パターン検索リスト２３３によるパターンマッチングを行い、リマインダタイプ判定手段２２３はリマインダタイプを判定する（ステップＳ３０３）。
【００５１】
次に、各イベント毎に判定されたリマインダタイプに応じて、リマインダリスト作成手段２２４はリマインダリスト２４０を作成する（ステップＳ３０４）。そしてリマインダリスト２４０に登録されている所定の時間になり次第、リマインダ制御手段２２５はリマインダリスト上に指定された通知を実施する（ステップＳ３０５）。
【００５２】
この通知の具体的な出力タイミングであるが、リマインダタイプによって定められる（表４参照）。指定時間に通知する場合には指定時間および指定時間前に予備通知を行う。また、一定時間内のどこかで通知する場合には、その時間内に一回または複数回通知を行う。また、空き時間を活用する場合には、他のリマインダが存在しない時間帯にランダムに通知を行う。
【００５３】
また、時間キーワードリスト２３１、イベントキーワードリスト２３２、リマインダタイプ検索パターンリスト２３３、リマインダタイプリスト２３４、リマインダ表現形式リスト２３５には初期状態としてデフォルトキーワードが登録されている。これらはユーザによる追加、変更、削除も可能である。
【００５４】
このような本発明の第１の実施形態における端末装置１００によれば、スケジュール情報を保持するスケジュールデータ保持部２１０と、時間に関してあらかじめ指定された指定時間情報およびイベントに関してあらかじめ指定された指定イベント情報を保持する指定キーワード情報保持部と、スケジュール情報において、指定時間情報と同一である時間情報および指定イベント情報と同一であるイベント情報の検索を行い、検索の結果、イベント情報および時間情報が存在した場合に、時間情報およびイベント情報をスケジュール情報からキーワード情報として抽出するキーワード抽出手段２２２と、キーワード抽出手段２２２により抽出されたキーワード情報に基づいて、スケジュール情報に関するリマインダの通知形式を指定するリマインダタイプの判定を行うリマインダタイプ判定手段２２３と、リマインダタイプ判定手段２２３により判定されたリマインダタイプに基づいて、リマインダの通知を行うリマインダ制御手段２２５とを有する構成とすることで、必要な情報を必要なタイミングおよび形式で通知することができ、さらに、通知方法はイベントの内容によって決まっているため、自発的に指定をしなくてよい。
（第２の実施形態）
【００５５】
次に、本発明の第２の実施形態における端末装置について説明する。本実施形態では、スケジュールを登録する代わりに受信メールからイベントが抽出される。まず、本実施形態におけるリマインダ登録過程について概説する。図４は本発明の第２の実施形態における端末装置４００の処理フローを含む概略図である。図４において、本発明の第１の実施形態で説明した端末装置１００と重複する部分には、同一符号を付す。
【００５６】
まず、端末装置４００はメールサーバ４１０からメールを受信する（ステップＳ４０１）。受信したメールからキーワード（時間キーワード、イベントキーワード等）が抽出され、そのキーワードに基づいて後述するイベントリスト４１１（表７参照）が作成される（ステップＳ４０２）。そしてリマインダ検索タイプパターンリスト１１２に基づいて、抽出されたキーワードからイベントの通知方法を指定するリマインダタイプが判定される（ステップＳ１０２）。そして、リマインダリスト１１３にリマインダが登録される（ステップＳ１０３）。
【００５７】
このような端末装置４００により、例えば、任意のＡさんが送信したメールによって、受信者はメール内容に基づいたリマインダ通知を行うことができる。また、歯科医であるＢさんが送信したメールによって、患者は薬を服用しなければならない時間などにリマインダ通知を受けることができる。また、先生であるＣさんが送信したメールによって、生徒はハンコを忘れずに持っていく旨のリマインダ通知を受けることができる。
【００５８】
次に、端末装置４００の一例として、携帯電話端末５００を取り上げる。図５は本発明の実施形態における携帯電話端末５００のブロック図である。図５において、本発明の第１の実施形態で説明した携帯電話端末２００と重複する部分には、同一符号を付し、説明を省略する。
【００５９】
携帯電話端末５００は、受信メール保持部５１０、制御部５２０、リマインダリスト作成用リスト２３０、イベントリスト５３０、リマインダリスト２４０、無線通信制御部５４０、操作部２５０、表示部２６０、リンガ２７０およびＬＥＤ２８０を有する。また制御部５２０は、キーワード抽出手段５２１、イベントリスト作成手段５２２、リマインダタイプ判定手段２２３、イベントリスト編集手段５２３、リマインダリスト作成手段２２４およびリマインダ制御手段２２５を有する。また、イベントリスト４１１およびイベントリスト５３０の特性は同様である。ここで、受信メール保持部５１０はスケジュール情報保持部の一例である。また、キーワード抽出手段５２１はキーワード抽出部の一例である。
【００６０】
受信メール保持部５１０は、メールサーバから受信したメールを保持している。また、キーワード抽出手段５２１は、受信したメールの内容を解析し、メール内容から時間やイベントに関する特定のキーワードを抽出する。
【００６１】
また、イベントリスト作成手段５２２は、リマインダタイプ検索パターンリスト２３３に基づいて、抽出された時間キーワードおよびイベントキーワードの組み合わせで合致するものをイベントリスト５３０（表７参照）として作成する。また、イベントリスト５３０を作成する際には、メール文中のキーワードの単語を含む文節を解析して、文章化して表現する。
【００６２】
また、イベントリスト編集手段５２３は、作成されたイベントリスト５３０の編集を行う。イベントリスト５３０のイベント内容、イベント時刻、リマインダタイプに関して、修正の必要があれば編集して、登録確定することができる。イベントリスト編集手段５２３による編集を行うと、変更した内容はイベントキーワードリスト２３２およびリマインダタイプ検索パターンリスト２３３に反映され、以後のイベントリスト作成処理に反映される。
【００６３】
また、イベントリスト５３０は、リマインダタイプ検索パターンリスト２３３に基づいて、キーワード抽出手段５２１によって抽出された時間キーワードおよびイベントキーワードの組み合わせで合致するものを示したリストである。イベントリスト作成手段５２２によって作成されたイベントリスト５３０は、イベントリスト編集手段５２３によって編集することも可能である。イベントリスト５３０の一例を表７に示す。
【００６４】
【表７】
2007058660.tif 000009
【００６５】
また、無線通信制御部５４０は、メールサーバからのメールの受信などを行う。また、無線通信制御部５４０、操作部２５０、表示部２６０、リンガ２７０およびＬＥＤ２８０は制御部５２０によって制御される。
【００６６】
次に、携帯電話端末２００のリマインダリスト作成における動作フローに関して説明する。
図６は本発明の第２の実施形態における携帯電話端末２００のリマインダリスト作成における動作フロー図である。
【００６７】
まず、メールサーバからメールが受信され、受信メール保持部５１０に登録される（ステップＳ６０１）。キーワード抽出手段５２１は、メール内容からキーワード（ＫＷ）の文字列検索を行い、特定のキーワードを抽出する（ステップＳ６０２）。キーワード文字列検索としては、時間キーワードリスト２３１の検索やイベントキーワードリスト２３２の検索などが考えられる。ステップＳ６０２の次の処理はステップＳ３０３と同様の方法により実施する。
【００６８】
次に、イベントリスト作成手段５２２はイベントリスト５３０の作成を行う（ステップＳ６０３）。また、必要に応じて、ユーザの指示により、イベントリスト編集手段５２３は作成されたイベントリスト５３０の編集を行う（ステップＳ６０４）。また、ステップＳ６０４より後続の処理は、ステップＳ３０４、ステップＳ３０５と同様の方法により実施する。
【００６９】
本実施形態においては、自然言語のメールからキーワード文字列を検出する方式を説明したが、予めリマインダ登録用に規定した特定のフォーマットに書かれたメールやXML等のメタ言語による情報が埋め込まれたメールなどを使えば、メール内容にリマインダタイプを指定することでリマインダの出し方を指定することも可能である。
【００７０】
また、時間キーワードリスト２３１およびイベントキーワードリスト２３２はデフォルトで登録されているが、ユーザがイベントキーワードリスト２３２を編集したり、リマインダ登録用として規定したフォーマットで送信されてきたメールによって、新しいイベントが登録されたりすると、その内容は各リストへ反映させることができる。
【００７１】
さらに、指定されたキーワードやリマインダタイプが、自動的に時間キーワードリスト２３１、イベントキーワードリスト２３２、リマインダタイプ検索パターンリスト２３３、リマインダタイプ２３４、リマインダ表現形式リスト２３５に反映されるようにすることで、より使いやすいものとすることができる。
【００７２】
このような本発明の第２の実施形態における端末装置４００によれば、スケジュール情報を保持する受信メール保持部５１０と、時間に関してあらかじめ指定された指定時間情報およびイベントに関してあらかじめ指定された指定イベント情報を保持する指定キーワード情報保持部と、スケジュール情報において、指定時間情報と同一である時間情報および指定イベント情報と同一であるイベント情報の検索を行い、検索の結果、イベント情報および時間情報が存在した場合に、時間情報およびイベント情報をスケジュール情報からキーワード情報として抽出するキーワード抽出手段５２１と、キーワード抽出手段５２１により抽出されたキーワード情報に基づいて、スケジュール情報に関するリマインダの通知形式を指定するリマインダタイプの判定を行うリマインダタイプ判定手段２２３と、リマインダタイプ判定手段２２３により判定されたリマインダタイプに基づいて、リマインダの通知を行うリマインダ制御手段２２５とを有し、受信メール保持部５１０が、メールサーバから受信したメールデータを保持する構成とすることで、受信したメールデータから自動的にスケジュールが登録されるため、自発的に登録操作を行わずにスケジュール登録が完了でき、さらに、スケジュール登録を行うための所定のフォーマットを意識せずに、スケジュール登録が可能である。
【産業上の利用可能性】
【００７３】
本発明は、必要な情報が必要なタイミングおよび形式で通知される端末装置、スケジュール通知システムおよびスケジュール通知方法等に有用である。
【図面の簡単な説明】
【００７４】
【図１】本発明の第１の実施形態における端末装置の処理フローを含む概略図
【図２】本発明の第１の実施形態における携帯電話端末のブロック図
【図３】本発明の第１の実施形態における携帯電話端末のリマインダリスト作成のための動作フロー図
【図４】本発明の第２の実施形態における端末装置の処理フローを含む概略図
【図５】本発明の第２の実施形態における携帯電話端末のブロック図
【図６】本発明の第２の実施形態における携帯電話端末のリマインダリスト作成のための動作フロー図
【符号の説明】
【００７５】
１００  端末装置
１１１  スケジュールデータ
１１２  リマインダタイプ検索パターンリスト
１１３  リマインダリスト
２００  携帯電話端末
２１０  スケジュールデータ保持部
２２０  制御部
２２１  スケジュール編集手段
２２２  キーワード抽出手段
２２３  リマインダタイプ判定手段
２２４  リマインダリスト作成手段
２２５  リマインダ制御手段
２３０  リマインダリスト作成用リスト
２３１  時間キーワードリスト
２３２  イベントキーワードリスト
２３３  リマインダタイプ検索パターンリスト
２３４  リマインダタイプリスト
２３５  リマインダ表現形式リスト
２４０  リマインダリスト
２５０  操作部
２６０  表示部
２７０  リンガ
２８０  ＬＥＤ
４００  端末装置
４１１  イベントリスト
４１０  メールサーバ
５００  携帯電話端末
５１０  受信メール保持部
５２０  制御部
５２１  キーワード抽出手段
５２２  イベントリスト作成手段
５２３  イベントリスト編集手段
５３０  イベントリスト
５４０  無線通信制御部
【図１】
2007058660.tif 000010
【図２】
2007058660.tif 000011
【図３】
2007058660.tif 000012
【図４】
2007058660.tif 000013
【図５】
2007058660.tif 000014
【図６】
2007058660.tif 000015